(57)【要約】【課題】  メディアプレーヤー用の正面材を提供する。【解決手段】  メディアプレーヤー外装は、引出しを備えたデバイスハウジングおよび正面材を有する。正面材の外面およびデバイスハウジングの外面は、引出しが閉じられたとき、正面材外面とデバイスハウジング外面とが実質的に連続したものとなるよう整列させられる。【選択図】  図１
2005346901.tif 000002
【特許請求の範囲】
【請求項１】
少なくとも一つの開口部を備えた外面を有するデバイスハウジングと、
メディアを収容しかつ前記少なくとも一つの開口部を経て前記ハウジング内へと移動可能であるよう構成された引出しと、
内面および外面を有する正面材と、
前記正面材の前記内面を前記引出しの一端と連結するためのコンプライアンス部と、を具備し、
前記引出しは閉ポジションと開ポジションとの間で可動であり、
前記コンプライアンス部は、前記正面材の前記内面と前記引出しの前記一端との相対距離が、前記閉ポジションにおいて、前記開ポジションにおけるよりも大きなものとなることを確立するよう構成されかつ配置されていることを特徴とするメディアプレーヤー外装装置。
【請求項２】
前記デバイスハウジングの前記外面は、
前記引出しが前記閉ポジションにあるとき、前記正面材の前記外面が前記メディアプレーヤー外面と実質的に整列することを確立するよう構成されかつ配置されていることを特徴とする請求項１に記載のメディアプレーヤー外装装置。
【請求項３】
前記引出しが前記閉ポジションにあるとき、前記正面材の前記外面と前記デバイスハウジングの前記外面とは、前記正面材外面と前記デバイスハウジング外面とが実質的に連続したものとなるよう整列させられることを特徴とする請求項１に記載のメディアプレーヤー外装装置。
【請求項４】
前記正面材の前記内面は少なくとも一つの案内部材をさらに具備すると共に、
前記デバイスハウジングの前記外面は、前記少なくとも一つの案内部材に対応する少なくとも一つの案内スロットをさらに具備し、前記正面材が前記閉ポジションにあるとき、前記少なくとも一つの案内部材は前記少なくとも一つの案内スロットと係合することを特徴とする請求項１に記載のメディアプレーヤー外装装置。
【請求項５】
前記コンプライアンス部は、
前記引出しの一端に連結されたベースプレートと、
前記ベースプレートと連係状態にありかつ前記正面材の前記内面および前記引出しの前記一端が前記閉ポジションにおいて前記開ポジションにおけるよりも大きなものとなることを確立するため前記正面材に連結されたスプリングと、をさらに具備してなることを特徴とする請求項１に記載のメディアプレーヤー外装装置。
【請求項６】
前記スプリングはさらに、
前記正面材に連結されたコイル部と、
前記コイル部から延在する少なくとも一つのアーム部と、を具備し、
前記少なくとも一つのアーム部は前記ベースプレートと連係状態にあることを特徴とする請求項５に記載のメディアプレーヤー外装装置。
【請求項７】
前記引出しと連係状態にあるリリースピンをさらに具備し、前記リリースピンを作動させたとき前記引出しを手動で開けることが可能となっていることを特徴とする請求項１に記載のメディアプレーヤー外装装置。
【請求項８】
リリースピンの作動を可能にするための工具を受け容れるよう形成された要素を有する、前記引出しと連係状態にある前記リリースピンをさらに具備してなることを特徴とする請求項１に記載のメディアプレーヤー外装装置。
【請求項９】
前記要素が前記工具を受け容れるのを可能にする方向で前記要素を保持するよう構成されかつ配置されたリリースピンサポートをさらに具備することを特徴とする請求項８に記載のメディアプレーヤー外装装置。
【請求項１０】
第１の開口部および第２の開口部を備えた外面を有するデバイスハウジングと、
メディアを収容しかつ閉ポジションと開ポジションとの間で前記第１の開口部を経て前記デバイスハウジング内へと移動できるよう構成されかつ配置された引出しと、
前記引出しの一端に連結されたベースプレートと、
コイル部および少なくとも一つのアームを有するスプリングと、
前記コイル部に連結された内面、および外面を有する正面材と、を具備してなるメディアプレーヤー外装装置であって、
前記ハウジングはさらに、前記ハウジングと共に実質的に連続した面を形成するよう構成されかつ配置されたフェースプレートを有し、
前記少なくとも一つのアームは前記ベースプレートに連結されており、
前記正面材の前記内面と前記引出しの前記一端との間の相対距離は、前記閉ポジションにおいて、前記開ポジションにおけるよりも大きなものであり、かつ前記閉ポジションでは、前記正面材の前記外面と前記デバイスハウジングの前記外面とは整列し、これによって前記正面材外面と前記デバイスハウジング外面とは実質的に連続したものとなるよう構成されかつ配置されたことを特徴とするメディアプレーヤー外装装置。
【請求項１１】
前記引出しと連係状態にあるリリースピンをさらに具備し、前記リリースピンを作動させたとき前記引出しを手動で開けることが可能となっていることを特徴とする請求項１０に記載のメディアプレーヤー外装装置。
【請求項１２】
リリースピンの作動を可能にするための工具を受け容れるよう形成された要素を有する、前記引出しと連係状態にある前記リリースピンをさらに具備してなることを特徴とする請求項１０に記載のメディアプレーヤー外装装置。
【請求項１３】
前記要素が前記工具を受け容れるのを可能にする方向で前記要素を保持するよう構成されかつ配置されたリリースピンサポートをさらに具備することを特徴とする請求項１２に記載のメディアプレーヤー外装装置。
【発明の詳細な説明】
【技術分野】
【０００１】
本発明はメディアプレーヤー外装に関し、さらに詳しくはディスクメディアプレーヤーにおける引出し用の正面材(facade)に関する。
【背景技術】
【０００２】
典型的なメディアプレーヤー、たとえばコンパクトディスクプレーヤーまたはＤＶＤプレーヤーなどは、少なくとも１枚のディスクをローディングするための、目につく機械式スライド引出しを具備する。引出しが閉ポジションにある時、引出しの前面は目についたままとなる。
【発明の開示】
【発明が解決しようとする課題】
【０００３】
メディアプレーヤー用の正面材を提供することが重要な目的である。
【課題を解決するための手段】
【０００４】
本発明の態様によれば、メディアプレーヤー用の正面材はデバイスハウジングを有し、これは第１の開口部および第２の開口部を備えた外面を有する。上記ハウジングはさらにフェースプレートを有し、これは上記ハウジングと実質的に連続した面を形成するよう構成されている。引出しはメディアを収容しかつ上記第１の開口部を経て上記デバイスハウジング内へと移動できるよう構成されている。上記引出しはさらに閉ポジションと開ポジションとの間で可動であり、上記引出しの一端に連結されたベースプレートと、コイル部および少なくとも一つのアームからなるスプリングとを備える。上記少なくとも一つのアームは上記ベースプレートに連結される。正面材は内面および外面を備え、このうち内面が上記コイルスプリングに連結される。ここで、上記正面材の上記内面と上記引出しの上記一端との相対距離は、上記開ポジションにおける距離よりも上記閉ポジションにおける距離の方が大きなものとなり、かつ閉ポジションにおいては、上記正面材の上記外面と上記デバイスハウジングの上記外面とは、上記正面材外面と上記デバイスハウジング外面とが実質的に連続した外観を呈するよう整列させられる。
【０００５】
本発明の他の特徴、目的、および利点は、添付図面と関連付けて本明細書を読んだとき以下の説明から明らかになるであろう。
【発明を実施するための最良の形態】
【０００６】
図１を参照すると、コンプライアント正面材１０は、少なくとも一つの開口部２０を備えた外面を有するハウジング１８を具備する。引出し１６はメディアを収容するよう構成されてもよく、しかも開口部２０を経てハウジング１８内にスライド可能であってもよい。引出し１６は閉ポジション（図２に示す）と開ポジション（図１に示す）との間で可動である。正面材１４は内面および外面を有する。ハウジング１８はフェースプレート２４を具備していてもよく、このフェースプレートはディスプレイ、および凹部２８を覆っていてもよい。
【０００７】
コンプライアンス部２２は正面材１４の内面を引出し１６の一端と整列させる。そのため、正面材１４の内面と引出し１６の上記一端との相対距離は、閉ポジションにおいて、開ポジションにおける距離よりも大きなものとなっている。引出し１６が閉ポジションにあるとき、正面材１４の内面は凹部２８内に収まってもよく、しかも正面材１４の外面とフェースプレート２４が一つの連続面として見えるよう正面材１４の外面はフェースプレート２４と整列させられてもよい。
【０００８】
図３Ａ、図３Ｂおよび図３Ｃを参照すると、コンプライアンス部２２はベースプレート３６およびスプリング３４を具備してもよい。スプリング３４は正面材１４をベースプレート３６の一端に連結する。一方、ベースプレート３６の他端は引出し１６の一端につながる。スプリング３４はコイル部３７を具備し、このコイル部３７はそこから延在するアーム３８および４０を有する。サポート部材４２は正面材１４の内面に成形されてもよい。サポート部材４２は、スプリング３４を正面材１４に対して固定するためコイル部３７を捉えかつ支持してもよい。アーム３８および４０は成形されたサポート４４および４６とつながるが、このサポートはベースプレート３６の内面に形成されてもよい。アーム３８および４０の端部は、スプリング３４をベースプレート３６に連結するため、成形されたサポート４４および４６によって捉えられてもよい。ベースプレート３６の内面の少なくとも一部は突出部４８と係合してもよく、この突出部は、正面材１４の方向と概ね直交する軸線内でベースプレート３６の動きを案内し、かつ他の軸線に関する動きを制限するよう機能してもよい。正面材１４の内面はまた少なくとも一つの案内部材３２を有していてもよく、この案内部材は、引出し１６が閉ポジションへと動く際、正面材１４の位置合わせを容易にするために、凹部２８内の少なくとも一つの対応する案内スロット３０と整列してもよい。
【０００９】
引出し１６が開ポジションと閉ポジションとの間で動くとき、正面材１４とベースプレート３６に連結された引出し１６の端部との間の相対距離は変化するであろう。引出し１６が閉ポジションへと移動するとき、正面材１４は凹部２８内に収まり、正面材１４の外面がフェースプレート２４と整列することを可能とする。正面材１４の内面は凹部２８内に留まってもよいが、引出し１６は、その移動軸線に沿って、連結されたベースプレート３６を移動させながら、ハウジング１８内により深く進み続ける。引出し１６はスプリング３４の弾性力によって正面材１４に対して連結されたままとなる。正面材１４の内面と引出し１６の端部との相対距離は、それゆえに閉ポジションにおいて開ポジションにおける距離よりも大きなものである。
【００１０】
通常、引出し１６は動力化されたドライブによって開閉する。だが図４を参照すると、ハウジング１８は、ユーザーが、万一、引出し１６の動力化された突出機構が作動しない場合に、手動で引出し１６を突出させることを可能にするため、正面材１４の後方に配置されたリリースピン５２をさらに具備してもよい。リリースピン５２は、正面材１４の美的外観を保持するために正面材１４の背後に配置されてもよく、ここでは、リリースピン５２を作動させることで引出し１６が開くよう、リリースピン５２の一端はディスクメディアドライブ１２と連係状態となっている。ハウジング１８は、リリースピン５２へのアクセスを可能にするためにハウジング１８内に第２の開口部５４を有していてもよい。リリースピン５２は第２の開口部５４内に差し込まれた工具５６によって作動させることができる。この工具はいかなる工具であっても、ピン、ロッドまたはリリースピン５２に到達しかつそれを作動させることができる他のデバイスまたは要素であってもよい。リリースピン５２は、動作を可能にするため、そうした工具を受けるよう形成された部分、たとえばループ状部分を有することができる。ハウジング１８はさらに、リリースピン５２を支持しかつ作動を可能にする方向でそれを維持するためのサポートを持つことができる。
【００１１】
当業者であれば、本発明のコンセプトから逸脱することなく、ただちに、本明細書に開示された装置および技術をさまざまな用途で使用しかつそれを変更し、しかもそこからの展開をなし得ることは明白である。したがって本発明は、本明細書に開示された装置および技術に存在するかあるいはそれによって与えられる、個々のおよび全ての新規な特徴および特徴の新規な組み合わせを含むものと解釈されるべきであり、しかも請求項の精神および範囲によってのみ限定される。
【図面の簡単な説明】
【００１２】
【図１】開ポジションにあるメディア引出しをコンプライアント正面材と共に示す図である。
【図２】閉ポジションにあるメディア引出しを示す図である。
【図３Ａ】コンプライアンス部の断面図である。
【図３Ｂ】コンプライアンス部の他の視点での図である。
【図３Ｃ】コンプライアンス部の構成要素の概略分解組立図である。
【図４】手動リリースを示すため正面材を取り外した状態でメディア引出しを示す図である。
【符号の説明】
【００１３】
１０  コンプライアント正面材
１４  正面材
１６  引出し
１８  ハウジング
２０  開口部
２２  コンプライアンス部
２４  フェースプレート
２８  凹部
３０  案内スロット
３４  スプリング
３６  ベースプレート
３７  コイル部
３８，４０  アーム
４２  サポート部材
４４，４６  サポート
４８  突出部
５２  リリースピン
５４  第２の開口部
５６  工具
【図１】
2005346901.tif 000003
【図２】
2005346901.tif 000004
【図３Ａ】
2005346901.tif 000005
【図３Ｂ】
2005346901.tif 000006
【図３Ｃ】
2005346901.tif 000007
【図４】
2005346901.tif 000008